(57)【要約】【課題】各ボードへの電源投入／遮断指示を受け、設定された遅延時間後に電源投入／遮断を行うことにより、消費電力を節減できるだけでなく、異常な過電流による回路素子の損傷などを防ぐこともできる拡張ボード内電源制御装置を提供する。【解決手段】拡張ボード内部への電源供給を制御する電源制御ＬＳＩにおいて、不揮発性メモリ５０１ａに遅延時間を、不揮発性メモリ５０２ａに検知電流値を記憶しておき、電源投入／遮断指示の信号を受けると、遅延回路部５０１がその信号を不揮発性メモリ５０１ａに記憶された遅延時間だけ遅らせ、遅らされた信号で電源制御回路部５０２が電源投入／遮断を行うとともに、電源制御回路部５０２は、拡張ボード内部へ供給されている電源電流値を検知する電流検知回路５０２ｂが不揮発性メモリ５０２ａに記憶された検知電流値を超える電流値を検知したとき電源を遮断する。【選択図】図５
2007293718.tif 000002
【特許請求の範囲】
【請求項１】
入出力バスと、
該入出力バスを介してデータ設定可能な第１のメモリを有し、該第１のメモリに設定された遅延時間設定値のデータに基づいて任意の時間だけ供給電源の状態変化を遅らせる遅延回路と、
前記入出力バスを介してデータ設定可能な第２のメモリ及び過電流検知回路を有し、前記第２のメモリに設定された検知電流設定値と検知時間設定値のデータに基づいて前記過電流検知回路により供給電源の電流検知を行い、入力された電源電流を制御する電源制御回路と、を備え、
前記電源制御回路は、前記過電流検知回路により異常が検知された場合は、前記入出力バスを介して異常発生モジュールの特定を行い、前記第２のメモリに特定されたモジュール名を記憶する自己診断機能を有することを特徴とする電源制御装置。
【請求項２】
ホストＣＰＵ、Ｉ／Ｏ、メモリ、ホストバス、ＰＣＩホストブリッジ及びＰＣＩバスが配置されたＰＣマザーボードに、Ｉ／Ｏ及び内部ローカルバスが配設された複数の拡張ボードを接続することが可能なＰＣＩシステムにおいて、
前記ＰＣＩバスとは別に、請求項１に記載の電源制御装置を介し、前記複数の拡張ボードへの供給電源の断接タイミングを任意の時間だけ遅延させると共に、前記ＰＣマザーボード上のホストＣＰＵから、前記ＰＣＩバス及びＰＣマザーボード上の他のシステムにおける供給電源の断接タイミングを任意の時間だけ遅延可能としたＰＣＩシステムであって、
前記供給電源の過電流検知及び自己診断機能により前記内部ローカルバスを介して異常発生モジュールの特定を行うことを特徴とするＰＣＩシステム。
【請求項３】
前記ホストＣＰＵは、前記供給電源による電源供給開始時に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項２に記載のＰＣＩシステム。
【請求項４】
前記ホストＣＰＵは、前記供給電源による電源の供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項２に記載のＰＣＩシステム。
【請求項５】
前記ホストＣＰＵは、前記供給電源による電源の供給開始時及び供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項２に記載のＰＣＩシステム。
【請求項６】
前記ホストＣＰＵは、前記供給電源による電源の供給開始時に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項２に記載のＰＣＩシステム。
【請求項７】
前記ホストＣＰＵは、前記供給電源による電源の供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず供給電源を即時遮断することを特徴とする請求項２に記載のＰＣＩシステム。
【請求項８】
前記ホストＣＰＵは、前記供給電源の供給開始時及び供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項２に記載のＰＣＩシステム。
【請求項９】
ホストＣＰＵ、Ｉ／Ｏ、メモリ、ホストバス、ＰＣＩホストブリッジ及びＰＣＩバスが配置されたＰＣマザーボードに、Ｉ／Ｏ及び内部ローカルバスが配設された複数の拡張ボードを接続することが可能なＰＣＩシステムを搭載した画像形成装置において、
前記ＰＣＩバスとは別に、請求項１に記載の電源制御装置を介し、前記複数の拡張ボードへの供給電源の断接タイミングを任意の時間だけ遅延すると共に、前記ＰＣマザーボード上のホストＣＰＵから、前記ＰＣＩバス及びＰＣマザーボード上の他のシステムにおける供給電源の断接タイミングを任意の時間だけ遅延可能としたＰＣＩシステムを搭載した画像形成装置であって、
前記供給電源の過電流検知及び自己診断機能により前記内部ローカルバスを介して異常発生モジュールの特定を行うことを特徴とする画像形成装置。
【請求項１０】
前記ホストＣＰＵは、前記供給電源による電源供給開始時に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項９に記載の画像形成装置。
【請求項１１】
前記ホストＣＰＵは、前記供給電源による電源の供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項９に記載の画像形成装置。
【請求項１２】
前記ホストＣＰＵは、前記供給電源による電源の供給開始時及び供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項９に記載の画像形成装置。
【請求項１３】
前記ホストＣＰＵは、前記供給電源による電源の供給開始時に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項９に記載の画像形成装置。
【請求項１４】
前記ホストＣＰＵは、前記供給電源による電源の供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず供給電源を即時遮断することを特徴とする請求項９に記載の画像形成装置。
【請求項１５】
前記ホストＣＰＵは、前記供給電源の供給開始時及び供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする請求項９に記載の画像形成装置。
【発明の詳細な説明】
【技術分野】
【０００１】
本発明は、電源制御装置、ＰＣＩシステム及び画像形成装置に関し、特に画像形成装置や複合画像情報装置など情報機器の機能拡張のために用いられる拡張ボードに搭載される電源制御ＬＳＩなど電源制御装置に関するものである。
【背景技術】
【０００２】
画像形成装置や複合画像情報装置など情報機器では、制御用のボードを、例えばマザーボードとそのマザーボードにコネクタを介して接続される１つまたは複数の拡張ボードとから構成する。拡張用のバスは例えばＰＣＩ（Peripheral Component Interconnect）バス（登録商標）で、この場合、拡張ボードの接続にはＰＣＩコネクタを用いる（特許文献１参照）。
このようなマザーボードと、そのマザーボードにＰＣＩコネクタを介して接続された拡張ボードとから成るＰＣＩシステムでは、従来、拡張ボードを制御したり拡張ボードに電源を供給したりする際、マザーボードにおけるイニシャライズ処理の終了タイミングに合わせて各拡張ボードに対する処理の開始を指示している。しかしながら、それぞれの拡張ボードでは、指示に応じて処理を開始する前の期間も電源が供給され無駄な電力消費が生じているという問題があった。
【０００３】
このような無駄な電力消費という問題を解決するために提案されたのが特許文献２に示されたＰＣＩシステムである。このＰＣＩシステムでは、拡張ボードを含む各ボードの電源を投入／遮断指示時からあらかじめ設定したタイミングだけ遅らせて投入／遮断する。投入をボードごとに設定した遅延時間だけ遅らせるのは、同時投入による突入電流の増大を避けるためであり、遮断を遅延させるのは拡張ボード内に記憶されているデータを保存するためである。
具体的には、マザーボード内のＣＰＵがマザーボードおよび拡張ボードそれぞれに設けた電源制御ＬＳＩに投入／遮断指示を出す。これにより、各ボードの電源制御ＬＳＩは、指示を受け取ったときから、あらかじめ各ボードに設定されている遅延時間を経て各ボードの電源を投入／遮断させる。その結果、余分な電力消費をなくすることができる。
【特許文献１】特開平９−３４６１０号公報
【特許文献２】特開２００４−１１０２０３公報
【発明の開示】
【発明が解決しようとする課題】
【０００４】
しかしながら、特許文献２記載のＰＣＩシステムでは、省電力だけを目的に各ボードの電源投入／遮断遅延制御を行っており、過電流のような電源異常が発生しても対応できず回路素子を損傷させる危険がある。
本発明は、かかる課題に鑑み、各ボードへの電源投入／遮断指示を受け、設定された遅延時間後に電源投入／遮断を行うことにより、消費電力を節減できるだけでなく、異常な過電流による回路素子の損傷などを防ぐこともできる拡張ボード内電源制御装置を提供することを目的とする。
【課題を解決するための手段】
【０００５】
本発明はかかる課題を解決するために請求項１は、入出力バスと、該入出力バスを介してデータ設定可能な第１のメモリを有し、該第１のメモリに設定された遅延時間設定値のデータに基づいて任意の時間だけ供給電源の状態変化を遅らせる遅延回路と、前記入出力バスを介してデータ設定可能な第２のメモリ及び過電流検知回路を有し、前記第２のメモリに設定された検知電流設定値と検知時間設定値のデータに基づいて前記過電流検知回路により供給電源の電流検知を行い、入力された電源電流を制御する電源制御回路と、を備え、前記電源制御回路は、前記過電流検知回路により異常が検知された場合は、前記入出力バスを介して異常発生モジュールの特定を行い、前記第２のメモリに特定されたモジュール名を記憶する自己診断機能を有することを特徴とする。
本発明は、供給電源の過電流検知を行いその結果に基づき、電源制御ＩＣが自動で自己診断を行い問題発生モジュールの特定を行いつつ電源ＯＮ／ＯＦＦ制御を自動で行うものである。
【０００６】
また、請求項２は、ホストＣＰＵ、Ｉ／Ｏ、メモリ、ホストバス、ＰＣＩホストブリッジ及びＰＣＩバスが配置されたＰＣマザーボードに、Ｉ／Ｏ及び内部ローカルバスが配設された複数の拡張ボードを接続することが可能なＰＣＩシステムにおいて、前記ＰＣＩバスとは別に、請求項１に記載の電源制御装置を介し、前記複数の拡張ボードへの供給電源の断接タイミングを任意の時間だけ遅延すると共に、前記ＰＣマザーボード上のホストＣＰＵから、前記ＰＣＩバス及びＰＣマザーボード上の他のシステムにおける供給電源の断接タイミングを任意の時間だけ遅延可能としたＰＣＩシステムであって、前記供給電源の過電流検知及び自己診断機能により前記内部ローカルバスを介して異常発生モジュールの特定を行うことを特徴とする。
本発明は、供給電源ＯＮ／ＯＦＦ命令後の遅延動作時、制御対象システムへのイニシャル処理およびエンド処理の時間に依存せずシステム制御の介在なしにて供給電源の過電流を検知し問題発生モジュールの特定を行うものである。
【０００７】
また、請求項３は、前記ホストＣＰＵは、前記供給電源による電源供給開始時に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
電源供給開始時における突入電流による素子破壊に至る電流のみ供給電源のＯＦＦ遅延時間設定値に関わらず供給電源を即時遮断可能とすることで、素子絶縁破壊の確率を低く抑える。また、異常が発生したとしても電源制御ＩＣが自動で自己診断を行い問題発生モジュールの特定を行うことで、異常個所の特定時間を短縮するものである。
【０００８】
また、請求項４は、前記ホストＣＰＵは、前記供給電源による電源の供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加に対しては正常動作させ、正常動作中何らかの外的要因による過電流に対し供給電源のＯＦＦ遅延時間設定値に関わらず供給電源を即時遮断可能とすることで、過電流による素子絶縁破壊の確率を低く抑える。また、異常が発生したとしても電源制御ＩＣが自動で自己診断を行い問題発生モジュールの特定を行うことで、異常個所の特定時間を短縮するものである。
【０００９】
また、請求項５は、前記ホストＣＰＵは、前記供給電源による電源の供給開始時及び供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加に対しては正常動作させ、電源供給開始時における突入電流による素子破壊に至る電流および、正常動作中何らかの外的要因による過電流に対し、供給電源のＯＦＦ遅延時間設定値に関わらず供給電源を即時遮断可能とすることで全ての過電流に対しシステムの絶縁破壊を抑える。また、異常が発生したとしても電源制御ＩＣが自動で自己診断を行い問題発生モジュールの特定を行うことで、異常個所の特定時間を短縮するものである。
【００１０】
また、請求項６は、前記ホストＣＰＵは、前記供給電源による電源の供給開始時に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加および所定時間以内に対しては電源ノイズ等による検知として正常動作させ、電源供給開始時における突入電流による素子破壊に至る電流が所定時間以上継続時のみ供給電源のＯＦＦ遅延時間設定値に関わらず供給電源を即時遮断可能とすることで誤検知を抑え、かつ素子絶縁破壊の確率を低く抑える。また、異常が発生したとしても電源制御ＩＣが自動で自己診断を行い問題発生モジュールの特定を行うことで、異常個所の特定時間を短縮するものである。
【００１１】
また、請求項７は、前記ホストＣＰＵは、前記供給電源による電源の供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず供給電源を即時遮断することを特徴とする。
ＰＣマザーボード以外の複数の拡張ボード増設等による電流増加および所定時間以内に対しては電源ノイズ等による検知として正常動作させ、正常動作中何らかの外的要因による過電流に対し素子破壊に至る過電流が所定時間以上継続時のみ供給電源のＯＦＦ遅延時間設定値に関わらず供給電源を即時遮断可能とすることで、誤検知を抑えかつ過電流による素子絶縁破壊の確率を低く抑える。また、異常が発生したとしても電源制御ＩＣが自動で自己診断を行い問題発生モジュールの特定を行うことで、異常個所の特定時間を短縮するものである。
【００１２】
また、請求項８は、前記ホストＣＰＵは、前記供給電源の供給開始時及び供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加および所定時間以内に対しては電源ノイズ等による検知として正常動作させ、電源供給開始時における突入電流による素子破壊に至る電流および、正常動作中何らかの外的要因による過電流に対し素子破壊に至る過電流が所定時間以上継続時のみ供給電源のＯＦＦ遅延時間設定値に関わらず供給電源を即時遮断可能とすることで全ての過電流に対し誤検知を抑え、かつシステムの絶縁破壊を抑える。また、異常が発生したとしても電源制御ＩＣが自動で自己診断を行い問題発生モジュールの特定を行うことで、異常個所の特定時間を短縮するものである。
【００１３】
また、請求項９は、ホストＣＰＵ、Ｉ／Ｏ、メモリ、ホストバス、ＰＣＩホストブリッジ及びＰＣＩバスが配置されたＰＣマザーボードに、Ｉ／Ｏ及び内部ローカルバスが配設された複数の拡張ボードを接続することが可能なＰＣＩシステムを搭載した画像形成装置において、前記ＰＣＩバスとは別に、請求項１に記載の電源制御装置を介し、前記複数の拡張ボードへの供給電源の断接タイミングを任意の時間だけ遅延すると共に、前記ＰＣマザーボード上のホストＣＰＵから、前記ＰＣＩバス及びＰＣマザーボード上の他のシステムにおける供給電源の断接タイミングを任意の時間だけ遅延可能としたＰＣＩシステムを搭載した画像形成装置であって、前記供給電源の過電流検知及び自己診断機能により前記内部ローカルバスを介して異常発生モジュールの特定を行うことを特徴とする。
供給電源ＯＮ／ＯＦＦ命令後の遅延動作時、制御対象システムへのイニシャル処理およびエンド処理の時間に依存せずシステム制御の介在なしにて供給電源の過電流を検知し問題発生モジュールの特定を行い、消費電力を抑えエネルギー効率をアップさせる。
【００１４】
また、請求項１０は、前記ホストＣＰＵは、前記供給電源による電源供給開始時に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
電源供給開始時における突入電流による素子破壊に至る電流のみ供給電源のＯＦＦ遅延時間設定値に関わらず供給電源を即時遮断可能とすることで素子絶縁破壊の確率を低く抑える。また、異常が発生したとしても電源制御ＩＣが自動で自己診断を行い問題発生モジュールの特定を行うことで、異常個所の特定時間を短縮し、消費電力を抑えエネルギー効率をアップさせる。
【００１５】
また、請求項１１は、前記ホストＣＰＵは、前記供給電源による電源の供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加に対しては正常動作させ、正常動作中何らかの外的要因による過電流に対し供給電源のＯＦＦ遅延時間設定値に関わらず供給電源を即時遮断可能とすることで過電流による素子絶縁破壊の確率を低く抑える。また、異常が発生したとしても電源制御ＩＣが自動で自己診断を行い問題発生モジュールの特定を行うことで、異常個所の特定時間を短縮し、消費電力を抑えエネルギー効率をアップさせる。
【００１６】
また、請求項１２は、前記ホストＣＰＵは、前記供給電源による電源の供給開始時及び供給中に所定以上の電流値を検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加に対しては正常動作させ、電源供給開始時における突入電流による素子破壊に至る電流および、正常動作中何らかの外的要因による過電流に対し供給電源のＯＦＦ遅延時間設定値に関わらず供給電源を即時遮断可能とすることで全ての過電流に対しシステムの絶縁破壊を抑える。また、異常が発生したとしても電源制御ＩＣが自動で自己診断を行い問題発生モジュールの特定を行うことで、異常個所の特定時間を短縮することを目的とし消費電力を抑えエネルギー効率をアップさせる。
【００１７】
また、請求項１３は、前記ホストＣＰＵは、前記供給電源による電源の供給開始時に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加および所定時間以内に対しては電源ノイズ等による検知として正常動作させ、電源供給開始時における突入電流による素子破壊に至る電流が所定時間以上継続時のみ供給電源のＯＦＦ遅延時間設定値に関わらず供給電源を即時遮断可能とすることで誤検知を抑え、かつ素子絶縁破壊の確率を低く抑える。また、異常が発生したとしても電源制御ＩＣが自動で自己診断を行い問題発生モジュールの特定を行うことで、異常個所の特定時間を短縮することを目的とし消費電力を抑えエネルギー効率をアップさせる。
【００１８】
また、請求項１４は、前記ホストＣＰＵは、前記供給電源による電源の供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず供給電源を即時遮断することを特徴とする。
ＰＣマザーボード以外の複数の拡張ボード増設等による電流増加および所定時間以内に対しては電源ノイズ等による検知として正常動作させ、正常動作中何らかの外的要因による過電流に対し素子破壊に至る過電流が所定時間以上継続時のみ供給電源のＯＦＦ遅延時間設定値に関わらず供給電源を即時遮断可能とすることで誤検知を抑えかつ過電流による素子絶縁破壊の確率を低く抑える。また、異常が発生したとしても電源制御ＩＣが自動で自己診断を行い問題発生モジュールの特定を行うことで、異常個所の特定時間を短縮することを目的とし消費電力を抑えエネルギー効率をアップさせる。
【００１９】
また、請求項１５は、前記ホストＣＰＵは、前記供給電源の供給開始時及び供給中に所定以上の電流値を所定以上の時間検知した場合、前記自己診断機能により問題発生モジュール特定のための診断を実施し、特定されたモジュールを記憶した後、前記供給電源の遮断遅延時間設定値に関わらず前記供給電源を即時遮断することを特徴とする。
ＰＣマザーボード以外の複数の拡張ボード増設等による電流増加および所定時間以内に対しては電源ノイズ等による検知として正常動作させ、電源供給開始時における突入電流による素子破壊に至る電流および、正常動作中何らかの外的要因による過電流に対し素子破壊に至る過電流が所定時間以上継続時のみ供給電源のＯＦＦ遅延時間設定値に関わらず供給電源を即時遮断可能とすることで全ての過電流に対し誤検知を抑えかつシステムの絶縁破壊を抑える。また、異常が発生したとしても電源制御ＩＣが自動で自己診断を行い問題発生モジュールの特定を行うことで、異常個所の特定時間を短縮し消費電力を抑えエネルギー効率をアップさせる。
【発明の効果】
【００２０】
本発明によれば、電源制御回路は、過電流検知回路により異常が検知された場合は、入出力バスを介して異常発生モジュールの特定を行い、第２のメモリに特定されたモジュール名を記憶する自己診断機能を有するので、異常個所の特定時間を短縮し消費電力を抑えエネルギー効率をアップさせることができる。
【発明を実施するための最良の形態】
【００２１】
以下、図面を参照して本発明の実施形態を詳細に説明する。なお、この実施形態では、本発明の電源制御装置である電源制御ＬＳＩを搭載する拡張ボードがＰＣＩシステムの拡張ボードであり、そのＰＣＩシステムがプリンタに実施されている。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は、本発明の一実施形態としてデジタル複写機を示す外観図である。図示するように、この実施形態のデジタル複写機はプリンタ１０１とスキャナ１０２から成り、スキャナ１０２で読み取った画像データをプリンタ１０１で出力する。また、パーソナルコンピュータなどホスト装置につなぎ、プリンタとしても使用できる構成になっている。なお、この実施形態では、プリンタ１０１およびスキャナ１０２がテーブル１０３上に載置されている。
【００２２】
図２は、図１に示したデジタル複写機の制御系の構成を示すブロック図である。図示するように、デジタル複写機の制御系は、プリンタエンジン１０１ａを制御してプリンタ機能を実現するプリンタモジュール部の制御基板としてのプリンタコントローラボード２０１と、プリンタ１０１側からスキャナ１０２を制御してスキャナ機能を実現するスキャナモジュール部の制御基板としてのスキャナコントローラボード２０２と、多機能化のための種々の制御を行うマザーボード２０３とから構成される。なお、図２において、符号２０４〜２０７はそれぞれプリンタコントローラボード２０１またはスキャナコントローラボード２０２をマザーボード２０３に接続するためのＰＣＩコネクタを示す。
また、プリンタコントローラボード２０１は、プリンタエンジン１０１ａとの間でデータのやり取りを行うためのＡＳＩＣ２０１ａ、プリンタ装置１０１のプリンタ機能の制御を行うためのＣＰＵ２０１ｂ、メモリ２０１ｃ、入出力制御部（以下、Ｉ／Ｏと称する）２０１ｄ、ＲＩＳＣバスからなる内部ローカルバス２０１ｅ、内部ローカルバス２０１ｅをＰＣＩバス２０３ａに接続するためのＰＣＩバス変換ＬＳＩ２０１ｆ、後述するマザーボード２０３上のホストＣＰＵ２０３ｄからの制御により前記２０１ａ〜２０１ｆへの電源供給を制御するとともに電源の供給開始／遮断（以下、ＯＮ／ＯＦＦと称する）状態を監視する電源制御ＬＳＩ２０１ｈなどを備えている。また、図示を省略するが、必要に応じてハードディスク記憶装置（以下、ＨＤＤと称する）など拡張メモリや他の構成要素も設けられ、同様に電源制御ＬＳＩ２０１ｈにより電源供給が制御される。
【００２３】
スキャナコントローラボード２０２は、スキャナ１０２との間でデータのやり取りを行うＡＳＩＣ２０２ａ、プリンタ１０１側からスキャナを動作させるためのＩ／Ｏ２０２ｂ、ＲＩＳＣバスからなる内部ローカルバス２０２ｃ、内部ローカルバス２０２ｃをＰＣＩバス２０３ａに接続するためのＰＣＩバス変換ＬＳＩ２０２ｆ、マザーボード２０３上のホストＣＰＵ２０３ｄからの制御により前記２０２ａ〜２０２ｃ、２０２ｆへの電源供給を制御するとともに電源のＯＮ／ＯＦＦ状態を監視する電源制御ＬＳＩ２０２ｈなどを備えている。また、図示は省略するが、必要に応じてＣＰＵやＨＤＤなど拡張メモリなど他の構成要素を設けることができ、同様に電源制御ＬＳＩ２０２ｈにより電源供給が制御される。
マザーボード２０３は、汎用のＰＣＩバス２０３ａ、ホストバスである内部ローカルバス２０３ｂ、ＰＣＩバス２０３ａと内部ローカルバス２０３ｂとを接続するＰＣＩホストブリッジ２０３ｃ、内部ローカルバス２０３ｂに接続されたホストＣＰＵ２０３ｄ、メモリ２０３ｅ、ＰＣＩバス２０３ａに接続されたＨＤＤ２０３ｆ、Ｉ／Ｏ２０３ｇ、ホストＣＰＵ２０３ｄからの制御により前記２０３ａ〜２０３ｃ、２０３ｅ〜２０３ｇの電源供給を制御するとともに電源のＯＮ／ＯＦＦ状態を監視する電源制御ＬＳＩ２０３ｈを備えている。また、図示は省略するが、必要に応じて他の構成要素を設けることができ、同様に電源制御ＬＳＩ２０３ｈにより電源供給が制御される。
【００２４】
図３は、プリンタ装置にＰＣＩバスを用いたＰＣＩシステムを適用した場合の概略構成図である。プリンタエンジン３０１を制御してプリンタ機能を実現するプリンタモジュール部としてのプリンタコントローラボード３０２と、プリンタ装置側からスキャナ３０３を制御してスキャナ機能を実現するスキャナモジュール部としてのスキャナコントローラボード３０４と、プリンタコントローラボード３０２およびスキャナコントローラボード３０４を制御して、コピー機能、ファクシミリ機能等を実現するためのＰＣマザーボード３０５とを備えて構成される。
ここで、ＰＣマザーボード３０５には、ホスト用ＣＰＵや、メモリがホストバス（内部ローカルバス）に接続されており、汎用のＰＣＩバスにはデータ量の大きいデバイス（ＨＤＤなど）やデータを高速に転送する必要のあるデバイス（ビデオデバイス等の高速Ｉ／Ｏなど）等が接続されている。また、ＰＣＩバスとホストバスをＰＣＩホストブリッジ（バス・ブリッジ回路）を介して接続することにより、ＰＣマザーボード３０５全体の制御をホスト用ＣＰＵで行えるようにしている。
【００２５】
更に、拡張ボードであるプリンタコントローラボード３０２およびスキャナコントローラボード３０４は、それぞれＰＣＩブリッジ（バス・ブリッジ回路）を含むＰＣＩバス変換ＬＳＩ３０２ａ、３０４ａが搭載されており、それぞれのボードのコネクタ３０６とＰＣマザーボード３０５側のＰＣＩコネクタ３０７とを接続することにより、ＰＣＩバス変換ＬＳＩ３０２ａ、３０４ａを介してボード３０２、３０４の内部ローカルバスとＰＣマザーボード３０５のＰＣＩバスとが接続される構成である。
【００２６】
図４は、図２に示した拡張ボードの取り付け状態を示す図である。マザーボード２０３側のＰＣＩコネクタ２０５に、拡張ボードであるプリンタコントローラボード２０１およびスキャナコントローラボード２０２のＰＣＩコネクタ２０４、２０５を挿入することにより、容易にシステムの拡張を行うことができる。
図５は、図２の説明において記述した電源制御ＩＣ（電源制御装置）２０１ｈ、２０２ｈ、２０３ｈの内部ブロック図である。内部は不揮発性メモリ（第１のメモリ）５０１ａを保有した遅延回路部５０１と不揮発性メモリ（第２のメモリ）５０２ａ、過電流検知回路５０２ｂ、自動自己診断機能５０２ｃを保有した電源制御回路部５０２とに分けられる。ホスト用ＣＰＵ２０３ｄから入力された電源制御信号５０３は、内部の遅延回路部５０１に入力され、遅延回路部５０１の不揮発性メモリ５０１ａに内部ローカルバス２０１ｅ、２０２ｃ、２０３ｂから予め設定した任意時間だけ遅らせた後、制御信号５０４の状態を変化させて次段の電源制御回路部５０２に入力する。電源制御回路部５０２は制御信号５０４の状態変化により、５０２ｂへ入力された電源を制御し供給電源５０５としてＯＮ／ＯＦＦさせることで、各デバイスの電源を制御する。また、電源制御状態信号５０６の出力信号状態変化をモニタすることで、供給電源５０５のＯＮ／ＯＦＦを確認することが可能である。また、不揮発性メモリ５０２ａへ内部ローカルバス２０１ｅ、２０２ｃ、２０３ｂから予め設定した検知電流設定値と検知時間設定値のデータに基づき、過電流検知回路５０２ｂは供給電源の過電流検知を行い、５０２ｂへ入力された電源を制御し供給電源５０５としてＯＮ／ＯＦＦさせることで、各デバイスの電源を制御する。異常が検知された場合は自動自己診断機能５０２ｃによりローカルバス２０１ｅ、２０２ｃ、２０３ｂを介して問題発生モジュールの特定を行い、不揮発性メモリ５０２ａに特定されたモジュールを記憶する。
【００２７】
次に図２及び図５を参照して本発明の第１の実施形態に係るＰＣＩシステムついて説明する。
ホスト用ＣＰＵ２０３ｄより、制御信号線をコネクタ２０４〜２０７を介し電源制御ＩＣ２０１ｈ、２０２ｈに接続、プリンタコントローラボード２０１の２０１ａ〜２０１ｆのデバイス、内部ローカルバス、スキャナコントローラボード２０２の２０２ａ〜２０２ｃ、２０２ｆのデバイス、内部ローカルバス、ＰＣマザーボード２０３の２０３ｂ〜２０３ｃ、２０３ｅ〜２０３ｇのデバイス、内部ローカルバス、及びＰＣＩバス２０３ａの電源を、ホスト用ＣＰＵ２０３ｄにより電源制御ＩＣ２０１ｈ、２０２ｈ、２０３ｈからの電源ＯＮ／ＯＦＦ状態出力信号５０６をモニタし、状況により電源制御ＩＣ２０１ｈ、２０２ｈ、２０３ｈ内部の遅延回路部５０１からの出力５０４を予め設定された任意時間だけ遅延させた後、信号の状態を変化させ出力し、電源制御回路部５０２により、供給電源５０５をＯＦＦすることで消費電力を抑える。また、ホスト用ＣＰＵ２０３ｄからの制御により、プリンタコントローラボード２０１の２０１ａ〜２０１ｆのデバイス、内部ローカルバス、スキャナコントローラボード２０２の２０２ａ〜２０２ｃ、２０２ｆのデバイス、内部ローカルバスの電源を、ホスト用ＣＰＵ２０３ｄにより電源制御ＩＣ２０１ｈ、２０２ｈ、２０３ｈからの電源ＯＮ／ＯＦＦ状態出力信号５０６をモニタし、状況により電源制御ＩＣ２０１ｈ、２０２ｈ、２０３ｈ内部の遅延回路部５０１からの出力５０４を予め設定された任意時間だけ遅延させた後、信号の状態を変化させ出力し、電源制御回路部５０２により、供給電源５０５をＯＮすることで上記デバイスの初期化動作が実行され通常状態に戻る。その際、供給電源５０５の供給開始時および供給中に内部ローカルバスから不揮発性メモリ５０２ａに予め設定した検知電流設定値のデータにより所定以上の電流値を過電流検知回路５０２ｂにより検知することが可能である。異常が検知された場合は自動自己診断機能５０２ｃによりローカルバス２０１ｅ、２０２ｃ、２０３ｂを介して問題発生モジュールの特定を行い、不揮発性メモリ５０２ａに特定されたモジュールを記憶することで、異常個所の特定時間を短縮することが可能となる。
【００２８】
次に図２及び図５を参照して本発明の第２、３、４の実施形態に係るＰＣＩシステムついて説明する。ホスト用ＣＰＵ２０３ｄより、制御信号線をコネクタ２０４〜２０７を介し電源制御ＩＣ２０１ｈ、２０２ｈに接続、プリンタコントローラボード２０１の２０１ａ〜２０１ｆのデバイス、内部ローカルバス、スキャナコントローラボード２０２の２０２ａ〜２０２ｃ、２０２ｆのデバイス、内部ローカルバス、ＰＣマザーボード２０３の２０３ｂ〜２０３ｃ、２０３ｅ〜２０３ｇのデバイス、内部ローカルバス、及びＰＣＩバス２０３ａの電源を、ホスト用ＣＰＵ２０３ｄにより電源制御ＩＣ２０１ｈ、２０２ｈ、２０３ｈからの電源ＯＮ／ＯＦＦ状態出力信号５０６をモニタし、状況により電源制御ＩＣ２０１ｈ、２０２ｈ、２０３ｈ内部の遅延回路部５０１からの出力５０４を予め設定された任意時間だけ遅延させた後、信号の状態を変化させ出力し、電源制御回路部５０２により、供給電源５０５をＯＦＦすることで消費電力を抑える。また、ホスト用ＣＰＵ２０３ｄからの制御により、プリンタコントローラボード２０１の２０１ａ〜２０１ｆのデバイス、内部ローカルバス、スキャナコントローラボード２０２の２０２ａ〜２０２ｃ、２０２ｆのデバイス、内部ローカルバスの電源を、ホスト用ＣＰＵ２０３ｄにより電源制御ＩＣ２０１ｈ、２０２ｈ、２０３ｈからの電源ＯＮ／ＯＦＦ状態出力信号５０６をモニタし、状況により電源制御ＩＣ２０１ｈ、２０２ｈ、２０３ｈ内部の遅延回路部５０１からの出力５０４を予め設定された任意時間だけ遅延させた後、信号の状態を変化させ出力し、電源制御回路部５０２により、供給電源５０５をＯＮすることで上記デバイスの初期化動作が実行され通常状態に戻る。その際、供給電源５０５の供給開始時および供給中に内部ローカルバスから不揮発性メモリ５０２ａに予め設定した検知電流設定値のデータにより所定以上の電流値を過電流検知回路５０２ｂにより検知した場合、供給電源５０５のＯＦＦ遅延時間設定値に関わらず過電流検知回路５０２ｂにより供給電源５０５を即時遮断し電源供給を止める。異常が検知された場合、自動自己診断機能５０２ｃによりローカルバス２０１ｅ、２０２ｃ、２０３ｂを介して問題発生モジュールの特定を行い、不揮発性メモリ５０２ａに特定されたモジュールを記憶することで、異常個所の特定時間を短縮することが可能となる。
【００２９】
次に図２及び図５を参照して本発明の第５、６、７の実施形態に係るＰＣＩシステムついて説明する。ホスト用ＣＰＵ２０３ｄより、制御信号線をコネクタ２０４〜２０７を介し電源制御ＩＣ２０１ｈ、２０２ｈに接続、プリンタコントローラボード２０１の２０１ａ〜２０１ｆのデバイス、内部ローカルバス、スキャナコントローラボード２０２の２０２ａ〜２０２ｃ、２０２ｆのデバイス、内部ローカルバス、ＰＣマザーボード２０３の２０３ｂ〜２０３ｃ、２０３ｅ〜２０３ｇのデバイス、内部ローカルバス、及びＰＣＩバス２０３ａの電源を、ホスト用ＣＰＵ２０３ｄにより電源制御ＩＣ２０１ｈ、２０２ｈ、２０３ｈからの電源ＯＮ／ＯＦＦ状態出力信号５０６をモニタし、状況により電源制御ＩＣ２０１ｈ、２０２ｈ、２０３ｈ内部の遅延回路部５０１からの出力５０４を予め設定された任意時間だけ遅延させた後、信号の状態を変化させ出力し、電源制御回路部５０２により、供給電源５０５をＯＦＦすることで消費電力を抑える。また、ホスト用ＣＰＵ２０３ｄからの制御により、プリンタコントローラボード２０１の２０１ａ〜２０１ｆのデバイス、内部ローカルバス、スキャナコントローラボード２０２の２０２ａ〜２０２ｃ、２０２ｆのデバイス、内部ローカルバスの電源を、ホスト用ＣＰＵ２０３ｄにより電源制御ＩＣ２０１ｈ、２０２ｈ、２０３ｈからの電源ＯＮ／ＯＦＦ状態出力信号５０６をモニタし、状況により電源制御ＩＣ２０１ｈ、２０２ｈ、２０３ｈ内部の遅延回路部５０１からの出力５０４を予め設定された任意時間だけ遅延させた後、信号の状態を変化させ出力し、電源制御回路部５０２により、供給電源５０５をＯＮすることで上記デバイスの初期化動作が実行され通常状態に戻る。その際、供給電源５０５の供給開始時および供給中に内部ローカルバスから不揮発性メモリ５０２ａに予め設定した検知電流設定値のデータにより所定以上の電流値を所定以上の時間検知した場合、供給電源５０５のＯＦＦ遅延時間設定値に関わらず過電流検知回路５０２ｂにより供給電源５０５を即時遮断し電源供給を止める。また、異常が検知された場合、自動自己診断機能５０２ｃによりローカルバス２０１ｅ、２０２ｃ、２０３ｂを介して問題発生モジュールの特定を行い、不揮発性メモリ５０２ａに特定されたモジュールを記憶することで、異常個所の特定時間を短縮することが可能となる。
また、各実施形態によるＰＣＩシステムを画像形成装置に実装することにより、本発明の特徴を備えた画像形成装置を実現することができる。
【図面の簡単な説明】
【００３０】
【図１】本発明の一実施形態としてデジタル複写機を示す外観図。
【図２】本発明の一実施形態としてデジタル複写機制御系の構成を示すブロック図。
【図３】プリンタ装置にＰＣＩバスを用いたＰＣＩシステムを適用した場合の概略構成図。
【図４】本発明の一実施形態として拡張ボードの取り付け状態を説明する図。
【図５】本発明の一実施形態として電源制御ＬＳＩの構成を示すブロック図。
【符号の説明】
【００３１】
１０１  プリンタ、１０２  スキャナ、２０１  プリンタコントローラボード、２０１ｅ、２０２ｃ、２０３ｂ  内部ローカルバス、２０１ｈ、２０２ｈ、２０３ｈ  電源制御ＬＳＩ、２０２  スキャナコントローラボード、２０３  マザーボード、２０３ａ  ＰＣＩバス、２０３ｄ  ホストＣＰＵ、２０４〜２０７  ＰＣＩコネクタ、５０１  遅延回路部、５０１ａ、５０２ａ  不揮発性メモリ、５０２  電源制御回路部、５０２ｂ  電流検知回路
【図１】
2007293718.tif 000003
【図２】
2007293718.tif 000004
【図３】
2007293718.tif 000005
【図４】
2007293718.tif 000006
【図５】
2007293718.tif 000007